(57)【要約】      （修正有）【課題】リクライニング式ベッドの上半身支持床の傾斜起立時に、ベッドの頭側端部を挟んで枕収容部に収容された枕の重量と錘棒挿通保持部に横向きに装着された錘棒の重量とがバランスを保持して、枕がずれ下がってしまうのを防止すると共に、枕が左右のバランスを崩して斜めに傾くのを防止でき、さらにゴミや埃などの異物が錘棒挿通保持部に入るのを防止できる枕カバーを提供する。【解決手段】頭部側の上半身支持床を適宜な傾斜角度に起立可能にしたリクライニング式のベッドに使用される枕カバー１において、柔軟シート２の一端側２ａに枕ｂを収容する枕収容部３を設け、柔軟シート２の他端側２ｂに錘となる棒状の錘棒５を挿通して保持する筒状の錘棒挿通保持部４を枕収容部３に平行に形成した。【選択図】図１
0003235310.tif 000002
【実用新案登録請求の範囲】
【請求項１】
頭部側の上半身支持床を適宜な傾斜角度に起立可能にしたリクライニング式のベッドに使用される枕カバーにおいて、柔軟シートの一端側に枕を収容する枕収容部を設け、上記柔軟シートの他端側に錘となる棒状の錘棒を挿通して保持する筒状の錘棒挿通保持部を上記枕収容部に平行に形成したことを特徴とする枕カバー。
【請求項２】
頭部側の上半身支持床を適宜な傾斜角度に起立可能にしたリクライニング式のベッドに使用される枕カバーにおいて、柔軟シートの一端側に枕を収容する枕収容部を設け、上記柔軟シートの他端側に錘となる棒状の錘棒を挿通して保持する筒状の錘棒挿通保持部を上記枕収容部に平行に形成すると共に、錘棒挿通保持部の筒状両端の開口された挿通口を横向きに形成し、筒状の錘棒挿通保持部に挿通して保持される上記棒状の錘棒の両端側を錘棒挿通保持部から外部に突出させることを特徴とする枕カバー。
【請求項３】
錘棒挿通保持部から外部に突出する錘棒の両端側には補助錘が装着される請求項１又は請求項２記載の枕カバー。
【考案の詳細な説明】
【技術分野】
【０００１】
この考案は、頭部側の上半身支持床を適宜な傾斜角度に起立可能にしたリクライニング式のベッドに使用される枕カバーに係り、特にベッドの上半身支持床の起立時に、枕がベッドの上半身支持床に沿ってずれ下がらないように保持する枕カバーに関するものである。
【背景技術】
【０００２】
従来、頭部側の上半身支持床を適宜な傾斜角度に起立可能にしたリクライニング式のベッドが知られている。リクライニング式のベッドでは、ベッドの利用者の頭部側の上半身支持床を好みの角度に自由に起立させることができる。
【０００３】
その一方で、このリクライニング式のベッドは、頭部側の上半身支持床を適宜な傾斜角度に起立させたときに、頭部側の枕が自重で上半身支持床の傾斜する表面に沿ってずれ下がることがあり、ベッド利用者に不快感を与えることがしばしばあった。
【０００４】
そこで、このような不都合を解消するために、種々の枕構造が考えられている。例えば実開平０１−１４７８２０の「背上げベッド用枕カバー」にあっては、ずれ落ちるのを回避するために、枕カバーシートの端面に末端が連結されたベルトの先端に固定具を備え、このベルトの先端に固定具をベッドの頭部側の上半身支持床の裏面側に引っ掛けて係合して、枕がずれ落ちるのを回避している。
【０００５】
ただ、この実開平０１−１４７８２０の「背上げベッド用枕カバー」では、ベッドの頭部側の上半身支持床の裏面側に引っ掛けて係合するのが面倒であり、さらに、ベッドの頭部側の上半身支持床の裏面側には、ベルトの先端の固定具を引っ掛けて係合するための例えばスノコ板のような横板構造になっていることが必要であった。
【０００６】
また、上記実開平０１−１４７８２０の問題点を解消した発明として、特開２００８−２９５６６２の「枕保持具及びその製造方法」が知られている。この特開２００８−２９５６６２の枕保持具は、ベッドの頭側端部に配置される屈曲自在の屈曲部と、この屈曲部の一端側に形成した枕を収容するための枕収容部と、前記屈曲部の他端側に形成した錘となる重量物を装着するための錘装着部とを有している。
【０００７】
そして、特開２００８−２９５６６２の枕保持具では、枕収容部の他端側に形成した錘装着部に錘となる重量物を装着することで、リクライニング式のベッドの基台を傾斜させると、ベッドの頭側端部を挟んで枕収容部に収容された枕の重量と錘装着部に装着された錘の重量とがバランスを保持して、枕がずれ下がってしまうのを防止することができる特徴を有している。
【先行技術文献】
【特許文献】
【０００８】
【特許文献１】実開平０１−１４７８２０
【特許文献２】特開２００８−２９５６６２
【考案の概要】
【考案が解決しようとする課題】
【０００９】
ところで、前記特開２００８−２９５６６２の枕保持具では、枕の重量とバランスを図る錘となる重量物を装着するための錘装着部は、一端に枕収容部が形成されたシートの他端を折返しその折返片の両側端部をシートに縫合してポケット状に形成されている。
【００１０】
そして、ポケット状の錘装着部は、バランスを取るための錘使用時においては、錘を出し入れするポケット状の出入り口は上向きになり、ポケット状の折返された底部分で錘となる重量物を支える構成になっている。
【００１１】
このポケット状の錘装着部に錘を入れる場合、ポケット内部のバランスを欠いて錘を入れると、横幅な枕の左右とのバランスが崩れて、枕の横幅の左右の一方側が少し傾いた状態で傾斜上方に引っ張られることもあり、この結果、枕が後頭部に対して真横でなく少し横向きに傾いた状態になり、ベッド利用者に不快感を与えることも考えられる（図５参照）。
【００１２】
また、ポケット状の錘装着部は、バランスを取るための錘使用時においては、錘を出し入れするポケット状の出入り口は上向きになるので、その上向きの出入り口からゴミや埃などの異物が錘装着部に入り易く、特に寝たきりのベッド利用者にとっては非衛生的であるとも考えられる。
【００１３】
この考案は、上記のような課題に鑑み、その課題を解決すべく創案されたものであって、その目的とするところは、リクライニング式ベッドの上半身支持床の傾斜起立時に、ベッドの頭側端部を挟んで枕収容部に収容された枕の重量と錘棒挿通保持部に横向きに装着された錘棒の重量とがバランスを保持して、枕がずれ下がってしまうのを防止すると共に、枕が左右のバランスを崩して斜めに傾くのを防止でき、さらにゴミや埃などの異物が錘棒挿通保持部に入るのを防止できる枕カバーを提供することにある。
【課題を解決するための手段】
【００１４】
以上の課題を達成するために、請求項１の考案は、頭部側の上半身支持床を適宜な傾斜角度に起立可能にしたリクライニング式のベッドに使用される枕カバーにおいて、柔軟シートの一端側に枕を収容する枕収容部を設け、上記柔軟シートの他端側に錘となる棒状の錘棒を挿通して保持する筒状の錘棒挿通保持部を上記枕収容部に平行に形成した手段よりなるものである。
【００１５】
また、請求項２の考案は、頭部側の上半身支持床を適宜な傾斜角度に起立可能にしたリクライニング式のベッドに使用される枕カバーにおいて、柔軟シートの一端側に枕を収容する枕収容部を設け、上記柔軟シートの他端側に錘となる棒状の錘棒を挿通して保持する筒状の錘棒挿通保持部を上記枕収容部に平行に形成すると共に、錘棒挿通保持部の筒状両端の開口された挿通口を横向きに形成し、筒状の錘棒挿通保持部に挿通して保持される上記棒状の錘棒の両端側を錘棒挿通保持部から外部に突出させる手段よりなるものである。
【考案の効果】
【００１６】
課題を解決するための手段よりなるこの考案に係る枕カバーによれば、リクライニング式ベッドの上半身支持床の傾斜起立時に、ベッドの頭側端部を挟んで枕収容部に収容された枕の重量と錘棒挿通保持部に横向きに装着された錘棒の重量とがバランスを保持して、枕がずれ下がってしまうのを防止することができるのは勿論のこと、錘棒挿通保持部に横向きに装着された錘棒は枕収容部に収容された枕と上下間で平行になり、左右のバランスを保つので、枕が左右のバランスを崩して斜めに傾くのを確実に防止することもできる。
【００１７】
リクライニング式ベッドの上半身支持床の傾斜起立時に、枕がずれ下がってしまうのを防止するために、ベッドの頭側端部を挟んで枕収容部に収容された枕の重量とバランスを保持する錘棒を錘棒挿通保持部に横向きに装着するに際し、錘棒挿通保持部の両挿通口は柔軟シートの左右幅側端にあって横向きの状態になり、しかも両挿通口からは錘棒の両端側が突出しているので、ゴミや埃などの異物が入り込むこともなく、特に寝たきりのベッド利用者にとっては衛生的である。
【００１８】
さらに、枕は使用し続けると、ベッド利用者の後頭部側などからでる汗によって湿気を帯びるので、定期的に枕を日干しや陰干して乾燥させる必要があるが、この場合、枕カバーの錘棒挿通保持部の両端から、適度の長さで突出する錘棒の両端側利用して、左右に平行な一対の干竿にそれぞれ載せて支えることで、湿気を帯びた枕カバーや枕カバー内の枕を平行に配置された一対の干し竿間に簡単に吊り下げて空干し乾燥させることができる。
【００１９】
また、錘棒の両端側にリング状の補助錘が装着される場合には、錘棒の重量不足で枕との重さの釣り合いが不十分なとき、錘棒の重量不足を解消することができ、ベッドの上半身支持床の傾斜起立時に枕がずれ下がるのを防ぐことができる。
【００２０】
さらにまた、リクライニング式ベッドの上半身支持床の傾斜起立時の使用中において、枕がずれ下がるの防ぐ錘棒は枕に平行な横向きに延びているので、枕カバーは錘棒の自重によって上下向きに引っ張られて横向きのシワが柔軟シートに生じるのを防ぐのは勿論のこと、横向きに延びる錘棒によって縦向きのシワが柔軟シートに生じるのを防ぐこともできる等、極めて実用的有益なる効果を奏するものである。
【図面の簡単な説明】
【００２１】
【図１】この考案を実施するための形態を示す枕カバーの斜視図である。
【図２】この考案を実施するための形態を示すベッドの上半身支持床の傾斜起立時におけるベッド正面側の枕カバーの使用斜視図である。
【図３】（Ａ）（Ｂ）はこの考案を実施するための形態を示すベッドの上半身支持床の傾斜起立時におけるベッド背面側の枕カバーの使用斜視図である。
【図４】この考案を実施するための形態を示す枕カバーの空干し時の斜視図である。
【図５】従来説明図である。
【考案を実施するための形態】
【００２２】
以下、図面に記載の考案を実施するための形態に基づいて、この考案をより具体的に説明する。
【００２３】
図において、枕カバー１は、頭部側の上半身支持床を適宜な傾斜角度に起立可能にしたリクライニング式のベッドａに使用されるものであって、柔軟シート２の一端側２ａに枕ｂを収容する枕収容部３が設けられ、上記柔軟シート２の他端側２ｂに錘となる棒状の錘棒５を挿通して保持する筒状の錘棒挿通保持部４が上記枕収容部３に平行に形成されている。
【００２４】
枕カバー１は、リクライニング式のベッドａの上半身支持床の傾斜起立時に、ベッドａの頭側端部を挟んで枕収容部３に収容された枕ｂの重量と錘棒挿通保持部４に横向きに装着された錘棒５の重量とがバランスを保持して、枕ｂがずれ下がってしまうのを防止すると共に、枕ｂが左右のバランスを崩して斜めに傾くのを防止でき、さらにゴミや埃などの異物が錘棒挿通保持部４に入ることもない特徴を備えている。
【００２５】
枕カバー１は柔軟シート２から構成されている。柔軟シート２の素材には種々の柔らかい例えば布製が使用されている。また柔軟シート２の色には清潔感のある白色をはじめ、汚れの目立たない色など、種々の色が使用されているが、少なくともベッド利用者に不快感を与えない色が使用されている。
【００２６】
柔軟シート２の長さ方向の一端側２ａに設けられる枕収容部３は、例えば袋状になっていて、袋状の内部に枕ｂが入っている。枕収容部３には袋状内部に枕ｂを入れたり、取り出したりする枕出入口が設けられている。枕出入口は、内部に入れた枕ｂが簡単に外に抜け出ないよう、枕収容部３の端側に設けられ、例えば一部布が二重に重ねられた構造になっている。
【００２７】
袋状以外の枕収容部３としては、柔軟なシートで枕ｂの外側を筒状に巻いただけの簡単な構造からなっているものもある。この場合、枕ｂの外側を筒状に巻いたシートが簡単にほどけないように、巻いたシートが一部重なる部分に面ファスナーをそれぞれ取り付けておき、重なる面ファスナー同士が雌雄係合して付着するようになっている。
【００２８】
柔軟シート２の長さ方向の他端側２ｂには、錘となる棒状の錘棒５を挿通して保持する筒状の錘棒挿通保持部４が形成されている。錘棒挿通保持部４は、柔軟シート２の左右幅方向に向けて横長な枕収容部３に平行に形成されている。つまり錘棒挿通保持部４は柔軟シート２の左右幅方向に向けて横向きに形成されている。
【００２９】
錘棒挿通保持部４は、柔軟シート２の他端側２ｂを筒状になるように折り曲げて、折り曲げたその先端を柔軟シート２の他端側２ｂに密着し、密着した部分を左右幅方向に向けて例えば逢着して形成されている。柔軟シート２の他端側２ｂにその左右幅方向に形成された錘棒挿通保持部４は、その筒状の両端が開口されている。
【００３０】
錘棒挿通保持部４の筒状両端の開口された挿通口４ａ，４ａは、柔軟シート２の幅方向の左右の幅側端２ｃ，２ｃにそれぞれ形成されている。錘となる棒状の錘棒５は、この左右のいずれかの挿通口４ａから、筒状の錘棒挿通保持部４の内部に幅側端２ｃに対して横向きの状態で挿入される。挿入された棒状の錘棒５の先端側５ａは反対側の挿通口４ａから外側に一部突出して、錘棒５は錘棒挿通保持部４に挿通状態になる。
【００３１】
ところで、柔軟シート２の左右の幅側端２ｃ，２ｃはベッドａでの使用時には上下向きとなる。このため、幅側端２ｃ，２ｃにそれぞれた形成された挿通口４ａ，４ａは、上下向きの幅側端２ｃ，２ｃに対し横向きとなり、ゴミや埃などの異物がこの両挿通口４ａ，４ａを通じて錘棒挿通保持部４の内部に入り難くなる。
【００３２】
錘となる錘棒５は、枕ｂの重さと釣り合って、リクライニング式ベッドａの上半身支持床の傾斜起立時に、ベッドａの頭側端部を挟んで枕収容部３に収容された枕ｂの重量とバランスを保持して、枕ｂがずれ下がってしまうのを防止するものである。錘棒５は、細長な棒状からなり、その重量は枕ｂと釣り合う同程度の重さが使用される。
【００３３】
筒状の錘棒挿通保持部４に挿通した棒状の錘棒５の先端側５ａに対して、その反対側となる後端側５ｂは、筒状の錘棒挿通保持部４の内部に挿入されることはなく、柔軟シート２の他方の幅側端２ｃの外側に留まることになる。つまり、錘となる棒状の錘棒５は、その両端側５ａ，５ｂが柔軟シート２の左右の幅側端２ｃの外側にそれぞれ突出した状態にある。このため、棒状の錘棒５は、柔軟シート２の左右の幅長さより長いものが使用される。
【００３４】
棒状の錘棒５は、筒状の錘棒挿通保持部４の内部への挿入に際し、スムーズに挿入できるように、錘棒挿通保持部４の筒状の内径より小さめの細長な円柱形状を有しており、又その両端側５ａ，５ｂは丸みを帯びた形状に形成されている。錘棒５には例えば木材、プラスチック材などが使用される。
【００３５】
また、錘棒５の重量不足で枕ｂとの重さの釣り合いが不十分なときには、錘棒５の両端側５ａ，５ｂには必要に応じて、リング状の補助錘５ｃが装着されることがある。補助錘５ｃを装着することで、錘棒５の重量不足を解消することができ、ベッドａの上半身支持床の傾斜起立時に枕ｂがずれ下がるのを防止できる。なお、補助錘５ｃは錘棒５の両端側５ａ，５ｂに装着できるものであれば、リング状に限定されるものではない。
【００３６】
次に、上記考案を実施するための形態の構成に基づく使用について以下説明する。
頭部側の上半身支持床を適宜な傾斜角度に起立可能にしたリクライニング式のベッドａに枕カバー１を使用する場合、先ず、枕カバー１の柔軟シート２の一端側２ａの枕収容部３に枕ｂを装着する。枕収容部３が袋状になっているときには袋状の内部に枕ｂを押し入れて装着する。枕収容部３がシートで枕ｂを巻いただけのものでは、シートで枕ｂの外側を筒状に巻いて装着する。
【００３７】
枕ｂを装着した枕カバー１の柔軟シート２の他端側２ｂに形成された錘棒挿通保持部４に、錘となる棒状の錘棒５を挿通して装着する。この場合、錘となる棒状の錘棒５は枕ｂと同程度の重さのものが使用される。また、棒状の錘棒５は、枕カバー１の柔軟シート２の左右幅間よりも長いものが使用される。
【００３８】
棒状の錘棒５の先端側５ａを、柔軟シート２の他端側２ｂに形成された筒状の錘棒挿通保持部４の一方の挿通口４ａに挿入する。挿入する錘棒５の先端側５ａは丸みを帯びているので、難なく挿入することができる。挿入した棒状の錘棒５の先端側５ａを、筒状の錘棒挿通保持部４の反対側の挿通口４ａに向けて押し進める。
【００３９】
挿入した棒状の錘棒５の先端側５ａは、筒状の錘棒挿通保持部４の内部を反対側の挿通口４ａに向けて移動し、錘棒挿通保持部４を挿通して反対側の挿通口４ａから外側に突出する。棒状の錘棒５の後端側５ｂは筒状の錘棒挿通保持部４に挿入されることなく、引き続き外側に出たままである。
【００４０】
このようにして、錘となる棒状の錘棒５を柔軟シート２の他端側２ｂの錘棒挿通保持部４に挿通して装着する。このとき、柔軟シート２の左右のバランスを保つために、柔軟シート２の左右幅側端２ｃ，２ｃにある錘棒挿通保持部４の両端の挿通口４ａ，４ａから外部にでている棒状の錘棒５の両端側５ａ，５ｂの長さが同じなるように調整する。
【００４１】
錘棒挿通保持部４は柔軟シート２を挟んで一端側２ａの枕収容部３に平行になるように形成されているため、内部を挿通した棒状の錘棒５も柔軟シート２を挟んで一端側２ａの枕収容部３と平行になる。これにより、適宜な傾斜角度に起立可能にしたリクライニング式のベッドａに枕カバー１を使用したとき、枕収容部３の左右とのバランスを保つことができるようになる。
【００４２】
以上のようにして、枕カバー１に枕ｂと棒状の錘棒５を装着した後に、この枕カバー１を上半身支持床を適宜な傾斜角度に起立可能にしたリクライニング式のベッドａの頭部側にセットする。セットは枕カバー１の枕収容部３をベッドａの頭部側に配置し、ベッドａの頭部先端の側端から下方に向けて、柔軟シート２の他端側２ｂになる錘棒挿通保持部４に装着された横向きの水平状態になる棒状の錘棒５を垂れ下げる。
【００４３】
これにより、リクライニング式のベッドａの上半身支持床の傾斜起立時に、枕収容部３に収容された枕ｂの重量と、ベッドａの頭側端部を挟んで垂れ下がる錘棒挿通保持部４に横向きの水平状態に装着された錘棒５の重量とがバランスを保持して、枕ｂがずれ下がってしまうのを防止することができる。
【００４４】
しかも、柔軟シート２の他端側２ｂの錘棒挿通保持部４に横向きに装着された錘棒５は、ベッドａの頭部先端の側端から下方に横向きの水平状態に垂れ下がっているので、柔軟シート２の一端側２ａの枕ｂが左右のバランスを崩して斜めに傾くのを防止することができる。
【００４５】
さらに、錘棒挿通保持部４の両端の開口する挿通口４ａ，４ａは、錘棒挿通保持部４が横向きの水平状態にあるため、ゴミや埃などの異物が入り難い状態になる。これに加えて、棒状の錘棒５の両端側５ａ，５ｂがそれぞれ外側に突出していて、錘棒挿通保持部４の両端の挿通口４ａ，４ａは塞がれているので、ゴミや埃などの異物が挿通口４ａを通じて錘棒挿通保持部４の内部に入るのを確実に防ぐことができ、特に寝たきりのベッド利用者にとっては衛生的である。
【００４６】
また、枕ｂは使用し続けると、ベッド利用者の後頭部側などからの汗で枕ｂが湿気を帯びるので、定期的に日干しや陰干しなど枕ｂを適宜空干して乾燥させる必要が生じる。この場合には、枕カバー１の柔軟シート２の他端側２ｂの錘棒挿通保持部４の両端から、適度の長さで突出する棒状の錘棒５の両端側５ａ，５ｂを利用して、左右に平行に配置された一対の干竿ｃに載せて支えることで、簡単に空干しすることができる。
【００４７】
なお、この考案は上記考案を実施するための形態に限定されるものではなく、この考案の精神を逸脱しない範囲で種々の改変をなし得ることは勿論である。
【符号の説明】
【００４８】
１    枕カバー
２    柔軟シート
２ａ  一端側
２ｂ  他端側
２ｃ  幅側端
３    枕収容部
４    錘棒挿通保持部
４ａ  挿通口
５    錘棒
５ａ  先端側
５ｂ  後端側
５ｃ  補助錘
ａ    ベッド
ｂ    枕
ｃ    干竿
【図１】
0003235310.tif 000003
【図２】
0003235310.tif 000004
【図３】
0003235310.tif 000005
【図４】
0003235310.tif 000006
【図５】
0003235310.tif 000007